【事件の表示】
　特許第２８１７２１２号「撥水撥油剤組成物」の特許に対する特許異議の申立てについて、次のとおり決定する。
【結　論】
　訂正を認める。
　特許第２８１７２１２号の特許を維持する。
【理　由】
I　手続の経緯
　本件特許第２８１７２１２号発明は、平成１年６月２２日に出願され、平成１０年８月２１日にその特許の設定登録がなされ、その後、旭硝子株式会社より特許異義の申立てがあり、取消理由の通知がなされ、その指定期間内である平成１１年１１月９日に訂正請求がなされた後、訂正拒絶理由の通知がなされたものである。
II　訂正の適否についての判断
１　訂正の内容
　本件訂正は、（ａ）訂正前の特許請求の範囲の請求項１における「二塩基酸ジエステル」を、「コハク酸ジメチル、コハク酸ジエチル、コハク酸ジプロピルおよびコハク酸ジブチルからなる群から選択される少なくとも１種の二塩基酸ジエステル」に訂正し、（ｂ）訂正前の特許請求の範囲の請求項１における「撥水撥油剤組成物」を、「ポリエステル布用撥水撥油剤組成物」に訂正し、併せて（ｃ）発明の詳細な説明の該当個所を上記訂正と整合させるべく訂正したものである。
２ 訂正の目的の適否、新規性の有無及び拡張・変更の存否
　上記（ａ）の訂正は、二塩基酸ジエステルを特定の化合物に限定するものであり、また、（ｂ）の訂正は、撥水撥油剤組成物の適用対象を限定するものであるから、これら訂正は、特許請求の範囲の減縮を目的とするものである。そして、これら訂正は、特許明細書７頁２〜３行の記載（本件特許公報３頁５欄１〜３行）及び特許明細書の実施例に記載に基づくものである。
　さらに、上記（ｃ）の訂正は、発明の詳細な説明を特許請求の範囲の訂正に整合させたものであるから、明りょうでない記載の釈明を目的としたものである。
　したがって、上記（ａ）ないし（ｃ）の訂正は、願書に添附した明細書に記載した事項の範囲内のものであり、かつ、実質上特許請求の範囲を拡張し、又は変更するものではない。
３　独立特許要件の判断
（１）本件発明
　訂正後の特許請求の範囲の請求項１に係る発明（以下「本件発明」という。）は、特許請求の範囲の請求項１に記載された事項により特定される次のものである。
「【請求項１】（ａ）パーフルオロアルキル基を有するメタクリル酸エステルまたはアクリル酸エステルと、これと共重合可能なモノマーとの共重合体および
（ｂ）コハク酸ジメチル、コハク酸ジエチル、コハク酸ジプロピルおよびコハク酸ジブチルからなる群から選択される少なくとも１種の二塩基酸ジエステルを含んで成り，（ａ）：（ｂ）の重量比が１：０．０５〜１：５であるポリエステル布用撥水撥油剤組成物。」
（２）引用刊行物等に記載された事項
　刊行物１（特開昭６１−２７６８８０号公報、甲第１号証）には「（Ａ）パーフルオロアルキル基もしくはパーフルオロアルケニル基およびアクリル酸基もしくはメタクリル酸基を有する重合性化合物の少なくとも１種のホモ重合体もしくは共重合体またはそれらと共重合可能な重合性化合物との共重合体、および（Ｂ）沸点が１５０℃以上であり、酸素を含有する有機溶剤を含有してなる撥水撥油剤水性分散液。」（特許請求の範囲第１項）、「有機溶剤（Ｂ）の重量が重合体（Ａ）の重量の０．２〜２倍である・・・分散液。」（特許請求の範囲第２項）、「本発明における有機溶剤（Ｂ）は、・・・代表的なものを挙げると、・・・Ｒ７（ＣＯＯＲ８）２［式中、Ｒ７は炭素数１〜３のアルキレン基、Ｒ８はＣＨ３またはＣ２Ｈ５を表す。］で示される・・・エステル類である。更に具体的な化合物を示すと、・・・ジエチルサクシネートなどである。」（２頁右下欄１５行〜３頁左上欄１３行）、「本発明の分散液を適用する適当な基体は、フィルム、繊維、糸、織布、カーペットならびに天然重合体物質や変性された天然重合体物質や合成重合体物質から得られたフィラメント、繊維あるいは糸で作られた製品である。」（３頁左下欄１〜５行）と記載され、具体的には、パーフルオロアルキル基を有するメタクリル酸エステル又はアクリル酸エステルと、これと共重合可能な重合性化合物との共重合体、及び該共重合体とジエチルサクシネートの重量比が１：０．０５である撥水撥油剤水性分散液が記載されている（実施例２、５参照。）。
　甲第２号証（特開昭６０−７１７７０号公報）には「平均分子量４００以上の鉱物油と平均分子量３５０〜１５００の脂肪酸アルキルエステルとを必須成分とする油剤（Ａ）と、該油剤と相溶性がありロツクウエル硬度４０〜９０の乾燥皮膜を形成できるパーフルオロアルキル基含有ビニル重合体エマルジョン（Ｂ）とよりなる熱可塑性合成繊維用防汚処理剤。」（特許請求の範囲第１項）、「本発明は熱可塑性合成繊維用の防汚処理剤に関し、就中紡糸工程で付着せしめることが可能な耐久性に優れた防汚処理剤に関する。」（１頁右下欄末行〜２頁左上欄２行）、「精練染色後の製品に対して耐洗濯性と耐摩耗性を著しく改善された耐久性のある撥水撥油性を付与する原糸用防汚処理剤に関する」（２頁左上欄１０〜１２行）、「脂肪酸アルキルエステルとしては、・・・ジオクチルセバケート、ジオレイルアジペート等の二価エステル類、・・・なかでも二塩基酸アルキルエステルが有効である」（３頁左上欄１０行〜右上欄２行）と記載され、また、該防汚処理剤の染色後ふみこみによる防汚性が、撥水性、撥油性及び汚れ率によって評価されている（１０頁表４参照。）。
　参考資料１（特開昭６３−９９２８５号公報）には、含フッ素アクリレートを少なくとも１０重量％含む含フッ素重合体からなる撥水撥油剤が記載され、また、該含フッ素重合体の数平均分子量は、１万〜４００万の範囲であることが記載されている（２頁右上欄３〜５行参照。）。
（３）対比・判断
（ア）特許法第２９条第１項第３号違反について
（ａ）本件発明と刊行物１に記載された発明を対比する。
　刊行物１には、パーフルオロアルキル基を有するメタクリル酸エステル又はアクリル酸エステルと、これと共重合可能なモノマーとの共重合体、及びコハク酸ジエチルを含有する撥水撥油剤水性分散液が記載されており、また、有機溶剤（Ｂ）の重量が重合体（Ａ）の重量の０．２〜２倍であると記載されている。さらに、刊行物１には「本発明の分散液を適用する適当な基体は、・・・合成重合体物質から得られたフィラメント、繊維あるいは糸で作られた製品である。」（３頁左下欄１〜５行）と記載され、具体的に、ポリエステル／木綿（６５／３５）混紡布を使用して該水性分散液の評価試験がなされている。
　してみると、両者は、撥水撥油剤組成物を適用する基体として、本件発明がポリエステル布であるのに対し、刊行物１記載の発明はこの点について明示の記載がない点で相違している。
　そこで、上記相違点について以下検討する。
　本件明細書には「染色された繊維布を含フッ素化合物で撥水撥油処理すると、染色摩擦堅牢度が低下するという欠点があった。」（訂正明細書１頁２０、２１行）、「含フッ素化合物に二塩基酸ジエステルを配合することにより、繊維製品に優れた染色摩擦堅牢度および撥水撥油性を付与することができる撥水撥油剤組成物が得られる」（同２頁２〜４行）、「本発明の撥水撥油剤組成物は、ポリエステル繊維製品に優れた染色摩擦堅牢度および撥水撥油性を付与することができる。」（同５頁１０、１１行）と記載され、具体的に、分散染料で染色したポリエステル布を処理浴に浸漬後、ロールで絞り、８０℃で３分間予備乾燥し１５０℃で３分間熱処理した処理布について、撥水性、撥油性及び染色摩擦堅牢度の評価がなされている（実施例２、第３表参照。）。
　また、平成１１年１１月９日付け特許異議意見書によれば、刊行物１の実施例２の記載に従って、撥水撥油剤試験体を調製し、これにポリエステル／木綿（６５／３５）混紡布を浸漬後、マングルで絞り、８０℃で３分間予備乾燥し１５０℃で３分間熱処理した処理布について、撥水性、撥油性及び染色摩擦堅牢度の評価がなされている（３、４頁比較実験例Ａ参照。）。
　さらに、平成１２年６月１３日付け意見書によれば、本件明細書に記載された実施例２の記載に従って、撥水撥油剤組成物を調製し、これにポリエステル／木綿（６５／３５）混紡布を浸漬後、マングルで絞り、８０℃で３分間予備乾燥し１５０℃で３分間熱処理した処理布について、撥水性、撥油性及び染色摩擦堅牢度の評価がなされている（４、５頁比較実験例Ｂ参照。）。
　以上の事実によれば、本件発明は、上記した撥水撥油剤組成物をポリエステル布に適用することにより、撥水性、撥油性及び染色摩擦堅牢度において優れた効果を奏するものであり、そして、ポリエステル／木綿混紡布に適用した場合と比較して、撥水性、撥油性及び染色摩擦堅牢度の全ての数値において優れていることが認められる。
　そうすると、刊行物１には、ポリエステル布を使用した例は具体的には示されていないこと、また、ポリエステルは染色が困難であり、染色摩擦堅牢度も劣るとされていたところ（例えば、繊維学会編「繊維便覧−加工編−」、８３４頁１０、１１行、昭和４４年５月３０日、丸善株式会社発行等参照。）、上記に認定したとおり、ポリエステル１００％布がポリエステル／木綿混紡布と比較して優れた効果を奏するものであり、これは予期し得ない顕著な効果というべきであるから、上記相違点は、技術的意義を有する相違点といえる。
　したがって、本件発明は、刊行物１に記載された発明であるとはいえない。
（ｂ）本件発明と甲第２号証に記載された発明を対比する。　
　甲第２号証には、鉱物油と脂肪酸アルキルエステルとを必須成分とする油剤と、パーフルオロアルキル基含有ビニル重合体エマルジョンとよりなる熱可塑性合成繊維用防汚処理剤が記載され、該脂肪酸アルキルエステルとして、二塩基酸アルキルエステルが好ましいとされ、具体的に、ジオクチルセバケート、ジオレイルアジペートが例示されている。そして、甲第２号証記載の発明は、合成繊維の紡糸工程で付着せしめることが可能な耐久性に優れた撥水撥油性を付与する防汚処理剤を提供することを技術的課題とし、その解決手段として、上記した重合体エマルジョン（Ｂ）と併用する油剤（Ａ）として、鉱物油及び脂肪酸アルキルエステルを必須成分として使用するするものである。
　しかし、甲第２号証には、該防汚処理剤の染色後のふみこみによる防汚性について、ふみこみ後の試料に電気掃除機をかけた後、デジタル色差計により反射率を測定して汚れ率を算出することが記載されている（９頁右下欄下３行〜１０頁左上欄３行）が、この評価試験の記載から、本件発明の染色摩擦堅牢度、すなわち、染色された繊維布中の染料が、溶剤や乳化剤により溶出したり、熱処理時に浮き出してくる結果、加工布が他の衣類等と接触した際の接触衣類等の汚染度について記載ないし示唆されているとはいえない。
　そうすると、本件発明は、上記したように、ポリエステル布の撥水性、撥油性及び染色摩擦堅牢度を改善することを技術的課題とするものであり、その解決手段として、含フッ素重合体に特定のコハク酸ジアルキルエステルを配合するものであるところ、甲第２号証には、本件発明の技術的課題である、染色摩擦堅牢度を改善することについて記載ないし示唆されていないこと、また、本件発明は、上記した技術的課題を解決するために、特定のコハク酸ジアルキルエステルを有機溶剤として使用するのに対し、甲第２号証記載の発明は、鉱物油と脂肪酸アルキルエステルを必須成分とする点で、本件発明の構成と相違することに照らせば、甲第２号証には、本件発明の技術的課題及びその解決手段としての構成から窺える技術的思想が開示されているとはいえない。
　したがって、本件発明は甲第２号証に記載された発明であるとはいえない。
（イ）特許法第２９条第２項違反について
　参考資料１には、含フッ素重合体からなる撥水撥油剤及び該含フッ素重合体の数平均分子量が、１万〜４００万の範囲であることが記載されているにすぎず、本件発明の構成について何ら触れるものではない。
　そうすると、本件発明と刊行物１記載の発明とは、上記したように、本件発明が、撥水撥油剤組成物を適用する基体をポリエステル布とする点で、刊行物１記載の発明と相違するものであること、また、本件発明と甲第２号証記載の発明とは、その技術的課題及びその解決手段としての構成が相違するものであることに照らせば、刊行物１、甲第２号証及び参考資料１に記載された発明を併せ考えても、本件発明の構成を採用することは当業者が容易に想到し得たものとはいえない。
　よって、本件発明は、特許出願の際独立して特許を受けることができるものである。
（４）むすび
　以上のとおりであるから、本件訂正は、特許法第１２０条の４第２項及び同条第３項で準用する第１２６条第２項から４項の規定に適合するので、当該訂正を認める。
III　異義申立てについての判断
１　異議申立ての理由の概要
　異議申立人は、訂正前の特許請求の範囲の請求項１に係る発明は、甲第１号証（刊行物１）及び甲第２号証に記載された発明であるか、あるいは甲第１号証、甲第２号証及び参考資料１に記載された発明に基づいて当業者が容易に発明をすることができたものであるから、特許を受けることができないものである旨主張している。
２　判断
　異議申立人の主張がいずれも採用できないことは、上記II３から明らかである。
３　むすび
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１２年８月７日（２０００．８．７）
【訂正の要旨】
　訂正の要旨
　本件訂正は、特許請求の範囲の減縮を目的として、（ａ）訂正前の特許請求の範囲の請求項１における「二塩基酸ジエステル」を、「コハク酸ジメチル、コハク酸ジエチル、コハク酸ジプロピルおよびコハク酸ジブチルからなる群がら選択される少なくとも１種の二塩基酸ジエステル」に訂正し、（ｂ）訂正前の特許請求の範囲の請求項１における「撥水撥油剤組成物」を、「ポリエステル布用撥水撥油剤組成物」に訂正し、併せて明りょうでない記載の釈明を目的として、（ｃ）発明の詳細な説明の該当個所を上記訂正と整合させるべく訂正したものである。
（５４）【発明の名称】
撥水撥油剤組成物
（５７）【特許請求の範囲】
　１．
　（ａ）パーフルオロアルキル基を有するメタクリル酸エステルまたはアクリル酸エステルと、これと共重合可能なモノマーとの共重合体
および
　（ｂ）コハク酸ジメチル、コハク酸ジエチル、コハク酸ジプロピルおよびコハク酸ジブチルからなる群がら選択される少なくとも１種の二塩基酸ジエステルを含んで成り、（ａ）：（ｂ）の重量比が１：０．０５〜１：５であるポリエステル布用撥水撥油剤組成物。
【発明の詳細な説明】
［産業上の利用分野］
　本発明は、撥水撥油剤組成物に関する。
［従来技術］
　従来、繊維製品に撥水撥油性を付与するため、パーフルオロアルキル基を有するメタクリル酸エステルまたはアクリル酸エステルと、これと共重合可能なモノマーとの共重合体（以下、含フッ素化合物ともいう）が使用されてきた。ところが、染色された繊維布を含フッ素化合物で撥水撥油処理をすると、染色摩擦堅牢度が低下するという欠点があった。
　堅牢度の低下を防止するため、含フッ素化合物と特定のポリシロキサンとの組成物が提案されている（特公昭５８−１２３２号公報）。しかしながら、そのような特定のポリシロキサンは、合成のための反応が多工程からなるので経済的でない。
［発明の目的］
　本発明の目的は、染色摩擦堅牢度の優れたポリエステル布用撥水撥油剤組成物を開発することにある。
［発明の開示］
　本発明者は、従来技術の問題点に鑑みて鋭意研究を重ねた結果、含フッ素化合物に二塩基酸ジエステルを配合することにより、繊維製品に優れた染色摩擦堅牢度および撥水撥油性を付与することのできる撥水撥油剤組成物が得られることを見い出した。
　即ち本発明は、
　（ａ）パーフルオロアルキル基を有するメタクリル酸エステルまたはアクリル酸エステルと、これと共重合可能なモノマーとの共重合体
および
　（ｂ）コハク酸ジメチル、コハク酸ジエチル、コハク酸ジプロピルおよびコハク酸ジブチルからなる群がら選択される少なくとも１種の二塩基酸ジエステルを含んで成り、（ａ）：（ｂ）の重量比が１：０．０５〜１：５であるポリエステル布用撥水撥油剤組成物に関する。
　（ａ）成分を得るための上記パーフルオロアルキル基を有するメタクリル酸エステルおよびアクリル酸エステルとしては、例えば、下記一般式（１）および（２）で示される化合物を挙げることができる。
　ＲｆＲ２ＯＣＯＣＲ１＝ＣＨ２　　　　　　　　（１）
　ＲｆＳＯ２ＮＲ３Ｒ４ＯＣＯＲ１＝ＣＨ２　　　（２）
〔式中、Ｒｆは炭素数４〜２０のパーフルオロアルキル基、Ｒ１は水素原子またはメチル基、Ｒ２は炭素数１〜１０のアルキレン基または基−ＣＨ２−ＣＨ（ＯＲ３）ＣＨ２−、Ｒ３は水素原子または炭素数１〜１０のアルキル基、Ｒ４は炭素数１〜１０のアルキレン基を表す。〕
　上記一般式（１）および（２）で示されるエステルの具体例を以下に挙げる。
　ＣＦ３（ＣＦ２）４ＣＨ２ＯＣＯＣ（ＣＨ３）＝ＣＨ２
　ＣＦ３（ＣＦ２）６（ＣＨ２）２ＯＣＯＣ（ＣＨ３）＝ＣＨ２
　ＣＦ３（ＣＦ２）６（ＣＨ２）２ＯＣＯＣＨ＝ＣＨ２
　ＣＦ３（ＣＦ２）７ＣＨ２ＣＨ２ＯＣＯＣＨ＝ＣＨ２
　上記エステルと共重合可能なモノマーとしては、例えばメチル、エチル、プロピル、ブチル、シクロヘキシル、ベンジル、オクチル、２−エチルヘキシル、ラウリル、トリデシル、セチル、ステアリル、メトキシエチル、エトキシエチル、ブトキシエチル、メトキシポリエチレングリコール、２−ヒドロキシエチル、２−ヒドロキシ−３−クロロプロピル、ジエチルアミノエチル、グリシジルおよびテトラヒドロフルフリルエステル、アクリル酸アミド、メタクリル酸アミド、炭素数２〜１８の１価の有機酸のビニルエステル、炭素数１〜１８のアルキルのビニルエーテル、塩化ビニル、塩化ビニリデン、ブタジエン、イソプレン、クロロプレン、アクリロニトリル、メタクリロニトリル、（メタ）アクリロキシプロピルトリメトキシシラン等が挙げられる。
　（ａ）成分であるパーフルオロアルキル基を有するメタクリル酸エステルおよびアクリル酸エステルと、これと共重合可能なモノマーとの共重合体を得るには、通常の重合方法の何れをも採用でき、また重合反応の条件も任意に選択できる。このような方法として、例えば、溶液重合法、塊状重合法、放射線重合法等が挙げられる。
　例えば溶液重合法によれば、まず、パーフルオロアルキル基を有するメタクリル酸エステルまたはアクリル酸エステルとこれに共重合可能なモノマーとを、適当な有機溶剤に溶解させるかまたは乳化剤を用いて水に分散させ、次いで、この溶液または分散液に、過酸化物、アゾ化合物、電離性放射線等の重合開始源を作用させることによって重合体を得ることができる。有機溶剤は特に制限されないが、例えば、メチルクロロホルム、テトラクロロジフルオロエタン、１，１，２−トリクロロ−１，２，２−トリフルオロエタン、トリクロロエチレン、テトラクロロエチレン等のハロゲン化炭化水素系溶剤等を挙げられる。このようにして得られる重合体の平均分子量は、１０００〜５０００００程度である。また、パーフルオロアルキル基を有するメタクリル酸エステルまたはアクリル酸エステルとこれに共重合可能なモノマーとの付加共重合割合は、通常、前者が５０重量％以上含まれることが好ましい。
　本発明の撥水撥油剤組成物において、（ｂ）成分として使用される二塩基酸ジエステルは、コハク酸ジメチル、コハク酸ジエチル、コハク酸ジプロピルおよび／またはコハク酸ジブチルである。これらと共に他の二塩基酸ジエステル、例えばアジピン酸ジメチル、アジピン酸ジエチル、アジピン酸ジプロピル、アジピン酸ジブチル、グルタル酸ジメチル、グルタル酸ジエチル、グルタル酸ジプロピル、グルタル酸ジブチル、シュウ酸ジメチル、シュウ酸ジエチル、シュウ酸ジプロピル、シュウ酸ジブチル、フタル酸ジメチル、フタル酸ジエチル、フタル酸ジプロピルおよびフタル酸ジブチル等を用いてもよい。
　本発明において、（ａ）成分と（ｂ）成分との重量比は１：０．０５〜１：５の範囲内にあることが適当である。（ｂ）成分がこれより少ないと染色摩擦堅牢度の低下が見られ、（ａ）成分がこれより少ないと撥水撥油性が低下して不都合である。
　本発明の撥水撥油剤組成物は水を含んでよく、必要に応じて帯電防止剤、柔軟剤、防しわ剤、難燃剤等の各種処理剤を含んでよい。
　本発明の組成物を製造するには、各成分を混合する方法や（ｂ）成分存在下で（ａ）成分を合成する方法がある。（ａ）成分の共重合体は公知化合物であり、通常、該共重合体の水性分散液または有機溶剤溶液として得られるので、該水性分散液もしくは有機溶剤溶液またはその適当な希釈液に（ｂ）成分を添加して組成物を製造することができる。また、該共重合体の水性分散液または有機溶剤溶液を製造するに当たり、共重合の当初に（ｂ）成分の適量を添加しておいて本発明の組成物を製造することができる。
　本発明の撥水撥油剤組成物の使用方法は、組成物の機能を良好に発現させるものであれば、どのような方法でも良いが、通常、該組成物を有機溶剤に均一に溶かした溶液または該組成物を共乳化させもしくは（ａ）成分の乳化分散液に（ｂ）成分を配合し要すれば水で希釈した溶液を染色繊維布にスプレーしまたは該溶液に該染色布を浸漬させた後、乾燥させる方法などがある。
　本発明の組成物が適用される染色繊維布は、その材質や織り組織に何ら制限を受けず、どのような染色布でもよい。
［発明の効果］
　本発明の撥水撥油剤組成物は、ポリエステル繊維製品に優れた染色摩擦堅牢度および撥水撥油性を付与することができる。
［実施例］
　以下、実施例および比較例により本発明を具体的に説明する。なお、「部」は「重量部」である。
　本実施例および比較例において、撥水性はＪＩＳＬ−１０９２のスプレー法による撥水性Ｎｏ．（下記第１表参照）をもって表わし、撥油性は下記第２表に示す試験溶液を試料布上、２箇所に数滴（径約４ｍｍ）たらし、３０秒後の浸透状態により判定した（ＡＡＴＣＣＴＭ１１８〜１９６６）。
　さらに、染色摩擦堅牢度は学振型摩擦試験機を使用し、白綿布を摩擦布として荷重５００ｇで、往復２００回摩擦後、汚染用グレースケール（等級：０〜５級の６段階）で判定する。
　
実施例１
　ＣＦ３（ＣＦ２）ｎＣＨ２ＣＨ２ＯＣＯＣＨ＝ＣＨ２
　（ｎの平均値は８．２）　　　　　　　　　　　　　　　　　６０部
　Ｃ１８Ｈ３７ＯＣＯＣＨ＝ＣＨ２　　　　　　　　　　　　　３９部
　ＣＨ２＝Ｃ（ＣＨ３）ＣＯＯＣＨ２ＣＨ（ＯＨ）ＣＨ２Ｃｌ　　１部
　ジメチルアルキノレアミン酢酸塩　　　　　　　　　　　　　　３部
　ポリオキシエチレンアルキルフェノール　　　　　　　　　　　３部
を乳化重合させて得た分散液（Ｉ）（ポリマー濃度１０％、ポリマー平均分子量１２００００）７０部、二塩基酸ジエステルであるフタル酸ジブチル３部および水２７部の混合物を撹拌分散させることにより撥水撥油剤組成物を調製した。この組成物を水で５０倍に希釈して処理浴とした。
　加工布：分散染料で染色したポリエステル布
　加工方法：ポリエステル布を処理浴に浸漬後、ロールで絞り、８０℃で３分間予備乾燥し１５０℃で３分間熱処理した。
　このようにして得られた処理布について、撥水性、撥油性および染色摩擦堅牢度を測定した。結果を下記第３表に示す。
　
実施例２
　フタル酸ジブチルをコハク酸ジエチルに代えた以外は実施例１と同様の操作を行った。
　
実施例３
　分散液（Ｉ）を
　ＣＦ３（ＣＦ２）ｎＣＨ２ＣＨ２ＯＣＯＣＨ＝ＣＨ２
　（ｎの平均値は８．２）　　　　　　　　　　　　　　　　　６０部
　Ｃ１８Ｈ３７ＯＣＯＣＨ＝ＣＨ２　　　　　　　　　　　　　３０部
　ＣＨ２＝Ｃ（ＣＨ３）ＣＯＯＣＨ２ＣＨ（ＯＨ）ＣＨ２Ｃｌ　　１部
　ジメチルアルキルアミン酢酸塩　　　　　　　　　　　　　　　３部
　ポリオキシエチレンアルキルフェノール　　　　　　　　　　　３部
を乳化重合させて得た分散液（ＩＩ）（ポリマー濃度１０％、ポリマー平均分子量１４００００）に代えた以外は実施例１と同様の操作を行った。
　
実施例４
　分散液（１）９０部、フタル酸ジブチル１部および水９部の混合物から得られた撥水撥油剤組成物を用いた以外は、実施例１と同様の操作を行った。
　
実施例５
　ＣＦ３（ＣＦ２）ｎＣＨ２ＣＨ２ＯＣＯＣＨ＝ＣＨ２
　（ｎの平均値は８．２）　　　　　　　　　　　　　　　　　３９部
　Ｃ１８Ｈ３７０ＣＯＣＨ＝ＣＨ２　　　　　　　　　　　　　２６部
　ＣＨ２＝Ｃ（ＣＨ３）ＣＯＯＣＨ２ＣＨ（ＯＨ）ＣＨ２Ｃｌ　　１部
　ジメチルアルキルアミン酢酸塩　　　　　　　　　　　　　　　２部
　ポリオキシエチレンアルキルフェノール　　　　　　　　　　　２部
および
　フタル酸ジブチル　　　　　　　　　　　　　　　　　　　　　３０部
を乳化重合させて得た分散液（ＩＩＩ）（ポリマー濃度１０％、ポリマー平均分子量９００００）を撥水撥油剤組成物として用いた以外は、実施例１と同様の操作を行った。
　
比較例
　分散液（１）のみを希釈して処理浴とした以外は実施例１と同様の操作を行った。